(57)【要約】【課題】  従来技術の欠点を解消する映像および音声配信システムを提供する。【解決手段】  無線映像および音声配信システムは、第１の人物によって操作された時に、映像および音声フィードを発生させる無線カメラを含む。インターネットでアクセス可能な機器が、無線カメラから映像および音声フィードを受信することにより、無線カメラが第１の人物によって操作されたのと同時に、インターネットでアクセス可能な機器の所にいる第２の人物は、映像および音声フィードを視聴できる。【選択図】図１
2014174623.tif 000002
【特許請求の範囲】
【請求項１】
ａ）第１の人物によって操作されたときに、映像および音声フィードを発生させる無線カメラと、
ｂ）前記無線カメラからの前記映像および音声フィードを受信するインターネットでアクセス可能な機器と、前記インターネットでアクセス可能な機器の所にいる第２の人物は、前記無線カメラが前記第１の人物によって操作されたのと同時に、前記映像および音声フィードを視聴することができるものであり、
ｃ）前記無線カメラ内にあるウェブサーバと、
ｄ）前記インターネットでアクセス可能な機器内にあるインターネットプロトコルアドレスとを含み、前記無線カメラの前記ウェブサーバは、前記映像および音声フィードを、前記インターネットでアクセス可能な機器のインターネットプロトコルアドレスへ送信できる
無線映像および音声配信システム
【請求項２】
前記インターネットでアクセス可能な機器は、前記映像および音声フィードが権限の無い人物によって視聴されることから保護するために、前記インターネットプロトコルアドレス用パスワードを含む請求項１に記載のシステム。
【請求項３】
前記無線カメラは内蔵式カムコーダ、デジタルカメラ、高解像度制御装置、ズーム制御装置、オーディオフォーカス制御装置、処理装置、ＵＳＢおよび他の種類の少なくともいずれかのデータポート、内蔵式データ記憶装置（ＨＤＤ、ＳＳＤ等）、ＳＩＭカードポート、携帯式ワイファイ（ホットスポット）機器と完全に準拠した内蔵アンテナ、ＳＤまたはメモリカードポートを含む請求項１に記載のシステム。
【請求項４】
前記無線カメラは更に、取り外し可能なレンズユニットを含む請求項１に記載のシステム。
【請求項５】
前記インターネットでアクセス可能な機器は、ノートパソコンおよび全てのタイプのコンピュータの少なくともいずれかである請求項１に記載のシステム。
【請求項６】
前記インターネットでアクセス可能な機器は、パーソナルコンピュータである請求項１に記載のシステム。
【請求項７】
前記インターネットでアクセス可能な機器は、スマートフォンであり、
ａ）前記インターネットでアクセス可能な機器はスマートテレビである
請求項１に記載のシステム。
【請求項８】
ライブの映像および音声フィードを提供する方法であって、
ａ）第１の人物によって操作されたときに、前記映像および音声フィードを無線カメラで発生させる工程と、
ｂ）前記無線カメラからの前記映像および音声フィードをインターネットでアクセス可能な機器で受信して、前記無線カメラが前記第１の人物によって操作されたのと同時に、前記インターネットでアクセス可能な機器の所にいる第２の人物が、前記映像および音声フィードを視聴できるようにする工程と
を含む方法。
【請求項９】
ａ）ウェブサーバを前記無線カメラ内に供給する工程と、
ｂ）インターネットプロトコルアドレスを前記インターネットでアクセス可能な機器内に置くことにより、前記無線カメラの前記ウェブサーバが前記映像および音声フィードを、前記インターネットでアクセス可能な機器の前記インターネットプロトコルアドレスへ送信できるようにする工程と、
ｃ）前記映像および音声フィードが権限のない人物によって視聴されることから保護するために、前記インターネットでアクセス可能な機器のパスワードを前記インターネットプロトコルアドレスに利用する工程と
を更に含む請求項８に記載の方法。
【請求項１０】
前述の本発明の例示的説明および例証する好適な実施形態は、図面および説明において詳細に説明され、変形例および代替実施形態が教示されている。言うまでもなく、特徴、設計、色、データ保存、寸法など、モデル毎に変えられてもよく、技術の進歩に伴い、構成要素、特徴、機能ハードウェア、ソフトウェアなどは、説明される本発明を更に改定し維持するために、付加、除去、或いは変更されてよい。本発明を図示、説明および例証してきたが、当該技術分野に属する者には当然のことながら、本発明の主旨および範囲から逸脱することなく、形状および細部において同等の変更が行われてよく、また、本発明の範囲は、従来技術によって除外されるものを除き、請求の範囲のみに限定されるものである。更に、本明細書で開示される本発明は、本明細書に開示される特定の要素がなくても、適切に実施される。
【発明の詳細な説明】
【技術分野】
【０００１】
本発明は無線カメラ記録機器に関し、特に、映像および音声配信システムに関する。
【背景技術】
【０００２】
本発明は、個人が無線カメラおよびノートパソコン、コンピュータ、スマートフォン、またはインターネットプロトコル（ＩＰ）アドレスを表示できる任意の技術を介して、行事、住居、子供たち、ペットや特別な日を見ることができるようにするものである。映像および音声配信システムにより、利用者は結婚式、誕生日パーティ、子供の第一歩、スポーツイベント、または休暇中の家庭内といった出来事や行事を記録することができる。無線カメラは更に、映像および音声フィードを安全なインターネットプロトコルアドレスへ送信することができ、別の人物がその生中継を、インターネットにアクセスできる任意の機器を介して視聴することが可能となる。家族や友人、頻繁に旅行に出かける人、または映像および音声フィードを広めようと連携する人々であれば、本システムが提供する利便性や実用性を理解できるであろう。
【０００３】
多くの人々が出席したいと願うイベントや行事は様々ある。このようなイベントが重なることも多く、人々はどのイベントや行事に出席するのか選択をせまられる。また、多くの人々が仕事やビジネスで出張することがあり、子供や愛する人の日常における重要な出来事を逃しかねない。このようなイベントや重要な出来事を記録することは可能であるが、人々は記録の再生を視聴することができるに過ぎず、ライブ映像ではない。また、長期間のイベントの場合には、記録空間が制限されかねない。更に、マスコミやニュースの取材班は、重い器材を携え様々な現場へ常に移動している。そのような人々は、煩わしい機器のために、記録しなければならないものを逃してしまう可能性がある。効果的な解決策が必要である。
【０００４】
従来技術では、以下に説明するように、ビデオカメラへの革新技術は多々提供されている。これらの革新技術は特定の人々が対処する目的には適するものであるかもしれないが、本発明とは異なるものである。
【０００５】
第１例、コガ（Ｋｏｇａ）による２００６年９月１４日に公開された特許文献１が教示する発明は、クライアントターミナルからのカメラ操作スクリーン要求を受け取り、クライアントターミナルへ送信されるコードを検出してそのコードをクライアントターミナルへ、カメラ操作スクリーン情報と共に送信し、メモリにクライアントターミナルから送信された駆動要求信号に添付されたコードを記録し、駆動要求信号をクライアントターミナルから受信し、登録されたコードと適合するコードが含まれる場合には、信号に従いカメラを制御し、登録されたコードと適合しないコードが含まれる場合には、駆動要求を拒絶する。本形態では、複数の利用者が共通のカメラユニットをネットワークを介して操作するときに、カメラユニットによって検出されたコードはクライアントターミナルから戻され、クライアントターミナルは、コードが適合するか否かに基づいて特定される。これにより、クライアントターミナルを特定するために特別なＩＤを発行する必要がなくなると共に、多目的ブラウザを使用してネットワークのどこからでも容易に操作することができる。
【０００６】
第２例、ラクシュマナン（Ｌａｋｓｈｍａｎａｎ）等による２００７年３月１日に公開された特許文献２は、駆動モータと、第１駆動モータに取り付けられた駆動要素を有する駆動シャシーを含むロボットシステムを教示する。また、モータ制御システムは、駆動信号を第１駆動モータへ供給する。論理制御装置は制御信号をモータ制御装置へ供給する。ネットワークシステムは論理制御装置と通信を行うために設けられる。少なくとも１個の周辺機器がネットワークシステムと通信する。更に、ネットワークシステムと無線通信を行うために無線装置が設けられる。
【０００７】
第３例、マユズミ（Ｍａｙｕｚｕｍｉ）による２００７年９月６日に公開された特許文献３は、撮像装置によって撮影された画像データを出力装置へ送信するように構成される画像送信装置（アダプタ装置）を教示する。アダプタ装置は、撮像装置の特定情報および出力装置の種類情報を取得するように構成される。アダプタ装置は、撮像装置の特定情報および出力装置の種類情報に対応する一組のパラメータを選択する。アダプタ装置は選択されたパラメータ組を撮像装置へ出力し、選択されたパラメータ組に基づき、画像データを可視画像データに変換する。アダプタ装置は、撮像装置から受信された可視画像データを出力装置へ送信する。
【０００８】
第４例、フリンク（Ｆｒｉｎｋ）等による２００７年９月２０日に公開された特許文献４は、インターネットによる相互作用的なコンテストを提供するコンテストシステムおよび方法を教示しており、少なくとも１個のネットワーク接続された表示装置に少なくとも１個のリアルタイム画像を提供する工程と、画像に関連してもたらされる少なくとも１個の質問への回答を確認する工程を含む。代替実施形態のシステムおよび方法では、少なくとも１個の画像を少なくとも１個のネットワーク接続された表示装置に提供するために、ネットワークカメラが装備されたネットワーク制御可能な通信手段を提供する。
【０００９】
第５例、フリンク等による２００８年９月２５日に公開された特許文献５は、離れた場所でビデオ画像を取得するために使用されるカメラを教示しており、ビデオ画像を取得する手段と、ビデオ画像を無線インターネットルータへ送信する無線送受信機を有する。カメラは、画像をインターネットにより、標準的なインターネットウェブブラウザを有するクライアントコンピュータへ供給する内蔵式ウェブサーバを含む。また、カメラは更に、画像取得手段およびウェブサーバハードウェアを支持する函体、カメラを備えた回路のバッテリ、回路を閉鎖するように構成される手動スイッチ、およびカメラを運ぶ際に操作者が使用する取手を含む。
【００１０】
第６例、チャン（Ｃｈａｎ）等による２００９年７月２日に公開された特許文献６は、ＩＰカメラにより映像／音声データショットを閲覧するネットワーク閲覧方法を教示している。ローカルコンピュータは、ＩＰカメラを検出するために、ＬＡＮ（ローカルエリアネットワーク）と接続される。ネットワーク閲覧方法は、ＩＰカメラに保存されたＩＤコードを取得するために、ローカルコンピュータによりアプリケーションプログラムを実行する工程と、アプリケーションプログラムにより、ＩＤコードを登録するために、ＤＤＮＳ（ダイナミックドメインネームサーバ）へ送信する工程と、パーソナルＩＰカメラアドレスおよびパーソナルサーバアドレスを介して、ＩＰカメラと接続すると共にＩＰカメラを制御するために、ＩＰカメラアドレスおよびパーソナルサーバアドレスを取得する工程と、ＩＰカメラにより映像／音声データショットを取得するために、パーソナルサーバアドレスを介してサービスサーバと接続する工程を含む。サービスサーバは、インターネットを介して、ＩＰカメラにより映像／音声データショットを取得する。
【００１１】
第７例、ジョンズ（Ｊｏｎｅｓ）による２００９年７月３０日に公開された特許文献７は、加入者ベースのネットワークにより、リアルタイムのビデオストリームを提供するように構成されるビデオカメラシステムを教示している。ビデオカメラシステムは、内蔵式ウェブサーバを備えたネットワークカメラと、セルラーモデム／イーサネットゲートウェイと、電源を含む。ビデオカメラシステムは、エーティ・アンド・ティ（ＡＴ＆Ｔ）、ベライゾン・ワイヤレス（Ｖｅｒｉｚｏｎ  Ｗｉｒｅｌｅｓｓ）、スプリント・ネクステル（Ｓｐｒｉｎｔ  Ｎｅｘｔｅｌ）、ティー・モバイル（Ｔ−Ｍｏｂｉｌｅ）等の加入者ベースネットワークを通じて作動が可能である。
【００１２】
第８例、リンドバーグ（Ｌｉｎｄｂｅｒｇ）による２０１０年５月４日に発行された特許文献８は、戸外で規則違反を遠隔検出する方法を教示しており、発明の一態様は、戸外において地面の高さ近くに内蔵式ＶＭＵを装備する工程を含み、ＶＭＵの函体を常設マウントへ固定する工程を含んでいる。ＶＭＵは、低電力スタンバイモードで作動させられ、かなりの鉄を含む物体の存在によって生じる外乱を検出するために、戸外で周囲の磁場を受動監視する工程を含む。周囲の磁場で外乱を検出すると、ＶＭＵは低電圧スタンバイモードを終了して、能動的作動モードを開始する。能動的作動モードは、ビデオデータを取得するために、ＶＭＵによってビデオカメラを作動させる工程と、ビデオデータの少なくとも一部を表す信号をコンピュータネットワークへ無線送信する工程を含む。ビデオデータは、コンピュータネットワークを介して、コンピュータネットワークの遠隔ノードによって受信されると共に、データベースレコードと関連して保存される。
【００１３】
第９例、ホロウェイ（Ｈｏｌｌｏｗａｙ）による２０１０年１２月３０日に公開された特許文献９は、携帯用通信機器を教示しており、通信ポートと、少なくとも１個の電源と、通信ポートと接続されたネットワークノードのネットワークアドレスを自動的に検出し、検出されたネットワークアドレスを使用してネットワークノードと通信し、且つ電源によって蓄えられたエネルギを消費するように構成される処理回路を含む。通信方法は、ネットワークノードと接続された携帯用通信機器を使用する工程と、ネットワークノードのネットワークアドレスを自動的に検出する工程と、携帯用通信機器を使用し、検出されたネットワークアドレスを使用してネットワークノードと通信する工程と、通信および携帯用通信機器の使用に基づき、ネットワークノードが作動可能であることを照合する工程を含む。
【００１４】
第１０例、ウィーバ（Ｗｅａｖｅｒ）による２０１１年７月１４日に公開された特許文献１０は、無線通信および遠隔監視を行う装置ならびに方法を教示している。一実施形態によれば、装置は、分析を行うための構造体を備えたＣＭＯＳベースの高解像度ビデオカメラを含む。また、ビデオカメラからの音声‐映像信号を送信／受信する同じネットワークアクセスポイントが、無線ブロードバンドインターネットデータも送信／受信することから、ワイマックス（ＷｉＭＡＸ）、ワイファイ（Ｗｉ−Ｆｉ）、およびエルティーイー（ＬＴＥ）を含む任意の無線ネットワーク構築の標準に適合させることが可能である。
【先行技術文献】
【特許文献】
【００１５】
【特許文献１】米国特許公開第２００６／０２０３０９７号
【特許文献２】米国特許公開第２００７／００４６２３７号
【特許文献３】米国特許公開第２００７／０２０９０５６号
【特許文献４】米国特許公開第２００７／０２１９６５４号
【特許文献５】米国特許公開第２００８／０２３１７１２号
【特許文献６】米国特許公開第２００９／０１７２０８８号
【特許文献７】米国特許公開第２００９／０１９１９１３号
【特許文献８】米国特許第７，７１０，４５２号
【特許文献９】米国特許公開第２０１０／０３２８４５８号
【特許文献１０】米国特許公開第２０１１／０１６９９５０号
【発明の概要】
【発明が解決しようとする課題】
【００１６】
様々な目的に適した数多くのビデオカメラの革新技術が、従来技術で提供されてきた。また結果的に、これらの革新技術は、特定の個人が対処する目的には適当であるとしても、以下に説明する本発明の目的には適当ではない。
【課題を解決するための手段】
【００１７】
本発明の目的は、従来技術の欠点を回避する映像および音声配信システムを提供することにある。
【００１８】
本発明の別の目的は、製造が単純で安価な映像および音声配信システムを提供することにある。
【００１９】
本発明の更に別の目的は、使用が簡単な映像および音声配信システムを提供することにある。
【００２０】
簡潔に言えば、本発明の更に別の目的は、第１の人物によって操作された時に、映像および音声フィードを発生させる無線カメラを含む映像および音声配信システムを提供することにある。インターネットでのアクセスが可能な機器が、無線カメラからの映像および音声フィードを受信することにより、インターネットでのアクセスが可能な機器の所にいる第２の人物は、第１の人物によって無線カメラが操作されたのと同時に、映像および音声フィードを視聴することができる。
【００２１】
本発明の特徴と考えられる新規の構成は、添付の請求の範囲に記載される。しかしながら、本発明自体は、構成および操作方法の両方について、本発明の更なる目的および効果と合わせて、以下の実施形態の説明を添付の図面と関連付けて読み理解することにより、最もよく理解されるであろう。
【００２２】
図面を以下に簡潔に説明する。
【図面の簡単な説明】
【００２３】
【図１】本発明のブロック図。
【図２】本発明の無線カメラを使用する人物を示す斜視図。
【図３】インターネットでアクセス可能な機器、本発明ではノートパソコンを使用する別の人物を示す斜視図。
【図４】無線カメラの前面斜視図。
【図５】無線カメラの背面斜視図。
【図６】取り外し可能なレンズユニットを備えた別の無線カメラを示す前面斜視図。
【発明を実施するための形態】
【００２４】
図１において、本発明は映像および音声配信システム１１０であり、図４および図５に示すように、無線カメラ１１２を含み、図２に示すように第１の人物１１４によって操作されたときに、映像および音声フィード１１３を発生させる。インターネットでアクセス可能な機器１１６は、無線カメラ１１２から映像および音声フィード１１３を受信することにより、図３に示すように、インターネットでアクセス可能な機器１１６の所にいる第２の人物１１８は、無線カメラ１１２が第１の人物１１４によって操作されたのと同時に、映像および音声フィード１１３を視聴することができる。
【００２５】
ウェブサーバ１２０は無線カメラ１１２の内部にある。インターネットプロトコルアドレス１２２は、インターネットでアクセス可能な機器１１６の内部にある。無線カメラ１１２のウェブサーバ１２０は、映像および音声フィード１１３を、インターネットでアクセス可能な機器１１６のインターネットプロトコルアドレス１２２に送信できる。インターネットでアクセス可能な機器１１６は、映像および音声フィード１３が権限のない人によって視聴されるのを防ぐために、インターネットプロトコルアドレス１２２用パスワード１２４を含む。
【００２６】
無線カメラ１１２は内蔵式カムコーダ１２６と、デジタルカメラ１２８と、高解像度制御装置１３０と、ズーム制御装置１３２と、オーディオフォーカス制御装置１３４と、ＵＳＢポート１３６を含む。図６において、無線カメラ１１２は更に、取り外しできるレンズユニット１３８を含んでよい。図３に示すインターネットでアクセス可能な機器１１６は、ノートパソコン１４０である。インターネットでアクセス可能な機器１１６は、パーソナルコンピュータまたはスマートフォン（図示なし）であってもよい。
【００２７】
映像および音声システム１１０を形成するために、以下の工程を含む。
【００２８】
１．無線カメラ１１２が第１の人物１１４によって操作されたときに、映像および音声フィード１１３を発生させる。
【００２９】
２．無線カメラ１１２が第１の人物１１４によって操作されるのと同時に、インターネットでアクセス可能な機器１１６の所にいる第２の人物１１８が映像および音声フィード１１３を視聴できるように、無線カメラ１１２からの映像および音声フィード１１３をインターネットでアクセス可能な機器１１６で受信する。
【００３０】
３．ウェブサーバ１２０を無線カメラ１１２内に供給する。
【００３１】
４．インターネットプロトコルアドレス１２２をインターネットでアクセス可能な機器１１６に置くことにより、無線カメラ１１２のウェブサーバ１２０は、映像および音声フィード１１３を、インターネットでアクセス可能な機器１１６のインターネットプロトコルアドレス１２２に送信できる。
【００３２】
５．映像および音声フィード１１３が権限のない人物によって視聴されることを防ぐために、インターネットでアクセス可能な機器１１６のパスワード１２４をインターネットプロトコルアドレス１２２に利用する。
【００３３】
検討すると、映像および音声配信システム１１０は、映像および音声フィード１１３をインターネットでアクセス可能な機器１１６へ送信するために、第１の人物１１４によって操作される無線カメラ１１２を含み、異なる場所にいる第２の人物１１８は、イベントや重要な出来事、または特別な出来事をライブで見ることができる。システム１１０は映像および音声フィード１１３を、無線カメラ１１２の内蔵式ウェブサーバ１２０を介して、インターネットでアクセス可能な機器１１６のインターネットプロトコルアドレス１２２に送信する機能を有する。映像および音声フィード１１３を迷惑な視聴者から保護するために、インターネットプロトコルアドレス１２２は保護されており、パスワード１２４が要求される。カムコーダ１２６、デジタルカメラ１２８、高解像度制御装置１３０、ズーム制御装置１３２、オートフォーカス制御装置１３４、ＵＳＢポート１３６を含む様々な機能が無線カメラ１１２に供給されてもよい。無線カメラ１１２は、取り外し可能なレンズユニット１３８が付属していてもよく、また、使用者の好みに合わせて、多くの寸法、モデル、或いはデザインを有してよい。
【００３４】
無線カメラ１１２は、マスコミやニュース取材班の人達の要求に合わせて、異なる機能を備えてもよい。正確な仕様が変えられてもよい。インターネットでアクセス可能な機器１１６は、ノートパソコン１４０、パーソナルコンピュータまたはスマートフォン（図示なし）であってよい。
【００３５】
当然のことながら、上述の要素各々、またはそれらの２個或いはそれ以上を合わせて、上記のタイプと異なる他のタイプの構成で応用されてもよい。
【００３６】
本発明を映像および音声配信システムの実施形態として例証および説明してきがた、示される詳細に限定されるものではなく、当該技術分野における通常の知識を有する者であれば、本発明の主旨から逸脱することなく、例証する機器の形態や細部に様々な省略、変形、置換および変更を行うことができる。
【００３７】
以下は、更に分析することなく、他者が最新の知識を適用することにより、従来技術の観点から、本発明の一般的または特定の態様の特徴を適正構成する構成を省略することなく、本発明を様々な用途に適応することができる本発明の主旨を完全に明らかにするものである。
【符号の説明】
【００３８】
１１０  映像および音声配信システム
１１２  システム１１０の無線カメラ
１１３  無線カメラ１１２からの映像および音声フィード
１１４  第１の人物
１１６  システム１１０のインターネットでアクセス可能な機器
１１８  第２の人物
１２０  無線カメラ１１２のウェブサーバ
１２２  機器１１６のインターネットプロトコルアドレス
１２４  機器１１６のパスワード
１２６  無線カメラ１１２のカムコーダ
１２８  無線カメラ１１２のデジタルカメラ
１３０  無線カメラ１１２の高解像度制御装置
１３２  無線カメラ１１２のズーム制御装置
１３４  無線カメラ１１２のオーディオフォーカス制御装置
１３６  無線カメラ１１２のＵＳＢポート
１３８  無線カメラ１１２用レンズユニット
１４０  機器１１６用ノートパソコン
【図１】
2014174623.tif 000003
【図２】
2014174623.tif 000004
【図３】
2014174623.tif 000005
【図４】
2014174623.tif 000006
【図５】
2014174623.tif 000007
【図６】
2014174623.tif 000008
【外国語明細書】
2014174623000001.pdf